(57)【要約】【課題】水漏れを確実に防止することができる水栓用アダプタを提供する。【解決手段】シャワーヘッド１１に装着され、アダプタ本体２２、締付リング２３及びシールリング２９とを備えてなる水栓用アダプタ１０。アダプタ本体２２は支持筒１１ａの内側及び先端側に位置し、内部にはシャワーヘッド１１の吐出口１４に連通する通水孔２６が貫設されるとともに、支持筒１１ａの内方へリング状収容溝３０を介して対向するように構成される。締付リング２３は支持筒１１ａの外側及び先端側に位置し、アダプタ本体２２を支持し、かつ相対回動するとともに、支持筒１１ａの第１雄ねじ２１に螺合され、アダプタ本体２２を支持筒１１ａに締付け固定する第１雌ねじ３３が内周面に設けられる。シールリング２９はリング状収容溝３０に嵌着され、アダプタ本体２２及び支持筒１１ａの間をシールする。【選択図】      図２
2004285640.tif 000002
【特許請求の範囲】
【請求項１】
原水を吐出する吐出口を有するとともに、該吐出口の周囲には外周面に雄ねじが設けられた円筒状をなす支持筒を備えた水栓本体に装着される水栓用アダプタであって、
前記支持筒の内側及び先端側に位置し、内部には水栓本体の吐出口に連通する通水孔が貫設されるとともに、支持筒の内方へリング状収容溝を介して対向するように構成されたアダプタ本体と、
支持筒の外側及び先端側に位置し、アダプタ本体を支持し、かつ相対回動するとともに、支持筒の雄ねじに螺合され、アダプタ本体を支持筒に締付け固定する雌ねじが内周面に設けられた締付リングと、
前記リング状収容溝に嵌着され、アダプタ本体及び支持筒の間をシールするシールリングと
を備えた水栓用アダプタ。
【請求項２】
前記アダプタ本体には支持筒の先端部に当接されるフランジ部を有するとともに、前記締付リングは有底円筒状に形成され、その底部に透設された支持孔にアダプタ本体が挿通され、かつ底部がアダプタ本体のフランジ部に係合して支持するように構成されている請求項１に記載の水栓用アダプタ。
【請求項３】
前記アダプタ本体の底部には、分岐栓を接続するための分岐栓接続具を螺合接続する螺合部が設けられている請求項１又は請求項２に記載の水栓用アダプタ。
【発明の詳細な説明】
【０００１】
【発明の属する技術分野】
本発明は、例えば、浄水器の分岐栓等をシャワーヘッド等に連結するための水栓用アダプタに関するものである。
【０００２】
【従来の技術】
一般に、シャワーヘッドを備えたシャワー水栓として、例えば、特許文献１に記載の原水をストレート又はシャワーに切り換えるための切換コックを備えたシャワー水栓が知られている。従来、このシャワーヘッドに、例えば、特許文献２に記載の浄水器用の分岐栓を取り付ける場合、図４に記載されるようなシャワー水栓用の水栓用アダプタ４４を用い、口径が異なるシャワーヘッドの原水吐出口と分岐栓の原水導入孔とを連通させていた。このシャワー水栓用の水栓用アダプタ４４は、原水を吐出し、分岐栓側の雌ねじと螺合する原水吐出孔の雄ねじ４５、及びシャワーヘッドの吐出口に設けられた円筒状をなす支持筒１１ａの雄ねじ２１と螺合する雌ねじ４６から構成される。また、かかる水栓用アダプタ４４の雌ねじ４６の上端部の内側には、シャワーヘッドの支持筒１１ａと水栓用アダプタ４４との接触面からの水漏れを防止する環状パッキン（Ｏリング）４７が取り付けられていた。この環状パッキン４７は、水栓用アダプタ４４がシャワーヘッドと螺合により取り付けられた際、水栓用アダプタ４４の内面とシャワーヘッドの支持筒１１ａの外面と密着するように構成され、接触面からの水漏れを防止していた。
【０００３】
【特許文献１】
特開２００１−１１９１６号公報（図１）
【特許文献２】
特開平１１−４４３７０号公報（図１，２）
【０００４】
【発明が解決しようとする課題】
ところが、この水栓用アダプタ４４の雌ねじ４６の上端部の内側に環状パッキン４７を配置する構成では、水栓用アダプタ４４をシャワーヘッドに取り付ける際に、環状パッキン４７が、螺合による回転で捩れることがあり、この捩れた状態で水栓用アダプタ４４がシャワーヘッドに固定されることがあった。この環状パッキン４７の捩れは、通水時に水漏れの原因となった。また、通水時に水栓用アダプタ４４内の水圧が上昇すると、水栓用アダプタ４４の雌ねじ４６を有する部分が押し広げられ、雌ねじ４６と雄ねじ２１の掛り代が減り、水圧が上昇するとアダプタが脱落するといった問題が生じた。
【０００５】
本発明は、従来技術の上記問題を解決するためになされたもので、その目的は、水栓用アダプタの水漏れを確実に防止することにある。
【０００６】
【課題を解決するための手段】
上記目的を達成するために、請求項１に記載の発明は、原水を吐出する吐出口を有するとともに、該吐出口の周囲には外周面に雄ねじが設けられた円筒状をなす支持筒を備えた水栓本体に装着される水栓用アダプタであって、前記支持筒の内側及び先端側に位置し、内部には水栓本体の吐出口に連通する通水孔が貫設されるとともに、支持筒の内方へリング状収容溝を介して対向するように構成されたアダプタ本体と、支持筒の外側及び先端側に位置し、アダプタ本体を支持し、かつ相対回動するとともに、支持筒の雄ねじに螺合され、アダプタ本体を支持筒に締付け固定する雌ねじが内周面に設けられた締付リングと、前記リング状収容溝に嵌着され、アダプタ本体及び支持筒の間をシールするシールリングとを備えたことを要旨とした。
【０００７】
請求項２記載の発明は、請求項１に記載の発明において、前記アダプタ本体には支持筒の先端部に当接されるフランジ部を有するとともに、前記締付リングは有底円筒状に形成され、その底部に透設された支持孔にアダプタ本体が挿通され、かつ底部がアダプタ本体のフランジ部に係合して支持するように構成されていることを要旨とした。
【０００８】
請求項３記載の発明は、請求項１又は請求項２に記載の発明において、前記アダプタ本体の底部には、分岐栓を接続するための分岐栓接続具を螺合接続する螺合部が設けられていることを要旨とした。
【０００９】
【発明の実施の形態】
以下、本発明をシャワー水栓用の分岐栓アダプタに具体化した一実施形態を図１〜図３にしたがって説明する。
【００１０】
図１、２に示すように、この実施形態のシャワー水栓用の分岐栓アダプタ１０は、キッチンにおいて水栓本体としてのシャワーヘッド１１を備えたシャワー水栓１２に取り付けられる。シャワーヘッド１１には、原水（水又は湯）をストレート又はシャワーに切り換えるための切換ボタン１３が設けられており、該切換ボタン１３の切り換えにより、吐出口１４を構成するストレート通水路１５又はシャワー通水路１６から原水が吐出する。分岐栓アダプタ１０には、浄水、原水等の切り換えを行うための切換コック１７を備えた合成樹脂製の分岐栓１８が取り付けられており、該分岐栓１８には、さらに連通管１９を介して、浄水器２０が取り付けられている。また、シャワーヘッド１１の下端面における吐出口１４の周囲には、円筒状をなす支持筒１１ａが垂下され、その外周面には第１雄ねじ２１が螺刻されている。第１雄ねじ２１には分岐栓１８の取付前においては、図示しないシャワーキャップの雌ねじが螺合されている。分岐栓アダプタ１０は、シャワーキャップを取り外して、ストレート通水路１５及びシャワー通水路１６が露出した状態のシャワーヘッド１１に取り付けられる。
【００１１】
図２，３に示すように、分岐栓アダプタ１０は、原水を通水する通水孔２６を有するアダプタ本体２２、及びアダプタ本体２２をシャワーヘッド１１に固定するための締付リング２３から構成されている。
【００１２】
アダプタ本体２２は、合成樹脂により円筒体の下端に縮径部２２ａを有する形状に成形されており、円筒体の内部には原水を通水する通水孔２６が設けられている。アダプタ本体２２の上部には、フランジ部３１が径方向に突設され、該フランジ部３１より上には、環状支持部２２ｂが上方へ突設されている。該環状支持部２２ｂの上端には外方へ延びる鍔２２ｃが突設され、その下面と、環状支持部２２ｂの外周面と、フランジ部３１の上面とによりリング状収容溝３０が形成されている。このリング状収容溝３０には、環状支持部２２ｂの外周面と支持筒１１ａの内周面の間から原水が漏洩するのを防止するために円環状をなすゴム製のシールリング２９（環状パッキン）が嵌着される。また、アダプタ本体２２の上端開口部にはシャワーヘッド１１の吐出口１４と連通し、原水を導入する導入口２８が設けられ、縮径部２２ａには原水を吐出する吐出口２７が設けられている。また、アダプタ本体２２の底部の縮径部２２ａの外周面には、分岐栓接続具２４と螺合する螺合部としての第２雄ねじ３２が螺刻されている。
【００１３】
締付リング２３は合成樹脂により有底円筒状に成形され、底部３４に支持孔２３ａが透設されている。この締付リング２３の内周面には支持筒１１ａの第１雄ねじ２１と螺合する第１雌ねじ３３が刻設されている。また、締付リング２３の底部３４は、アダプタ本体２２のフランジ部３１を受けるようになっている。かかる底部３４は、シャワーヘッド１１の第１雄ねじ２１に締付リング２３の第１雌ねじ３３を螺合する際、アダプタ本体２２のフランジ部３１に圧接され、支持筒１１ａの先端部とフランジ部３１が当接されることにより、アダプタ本体２２がシャワーヘッド１１に支持固定される。
【００１４】
分岐栓接続具２４は合成樹脂により有底円筒状に成形されており、その内周面には前記アダプタ本体２２の第２雄ねじ３２と螺合する第２雌ねじ３５が刻設されている。分岐栓接続具２４の底部の中心には第２雌ねじ３５の内径よりも小さい内径の吐出口３７が貫通形成されている。分岐栓接続具２４の内底部には円環状のゴム製シール板３６が収められている。該ゴム製シール板３６は、第２雌ねじ３５がアダプタ本体２２の第２雄ねじ３２に螺合された際、螺合部からの水漏れを防止する。また、分岐栓接続具２４の底部外周には、係合鍔３９が突設されている。
【００１５】
分岐栓１８本体の上部中央にはシャワーヘッド１１から原水を導入するための原水導入孔４０が貫通形成されている。分岐栓１８の上部外周には第３雄ねじ４１が螺設されている。分岐栓用の締付環２５は有蓋円筒状をなし、その中心には分岐栓接続具２４が挿通される挿通孔２５ａが透設されている。締付環２５の蓋部２５ｂはその挿通孔２５ａに分岐栓接続具２４が下から挿通されたとき、分岐栓接続具２４の係合鍔３９に係合するようになっている。締付環２５の内周面には第３雌ねじ２５ｃが刻設され、分岐栓１８の第３雄ねじ４１に螺合するようになっている。分岐栓１８の上端面には嵌合凹部４２が設けられ、その内底部にゴム製のシール板４３が収容された状態で分岐栓接続具２４が嵌合されている。
【００１６】
次に、分岐栓アダプタ１０の作用について説明する。
まず、シャワーヘッド１１に取り付けられているシャワーキャップを取り外し、ストレート通水路１５及びシャワー通水路１６を露出させる。次に、アダプタ本体２２のリング状収容溝３０にシールリング２９を嵌着させた状態で、締付リング２３をその支持孔２３ａにアダプタ本体２２が嵌挿されるように持ち上げ、アダプタ本体２２のフランジ部３１に締付リング２３の底部３４を係合支持させる。
【００１７】
続いて、締付リング２３の第１雌ねじ３３を支持筒１１ａの第１雄ねじ２１に螺合させながら、アダプタ本体２２のリング状収容溝３０に嵌着されているシールリング２９をシャワーヘッド１１の支持筒１１ａの内周面と密着させる。そのとき、アダプタ本体２２の上部に設けられている環状支持部２２ｂが支持筒１１ａの内側に位置し、フランジ部３１が支持筒１１ａの先端部と当接する。そして、締付リング２３の底部３４が、アダプタ本体２２のフランジ部３１と圧接することにより、アダプタ本体２２がシャワーヘッド１１に固定される。
【００１８】
分岐栓アダプタ１０は、２つに分離されたアダプタ本体２２とシャワーヘッド用の締付リング２３とから構成されているため、締付リング２３を螺合させる際、アダプタ本体２２がシャワーヘッド１１の支持筒１１ａに対し回動することなく、締付リング２３のみが支持筒１１ａに対し相対回動することとなる。
【００１９】
次に、分岐栓１８の上端面に設けられたシール板４３上に、分岐栓接続具２４を載せ、分岐栓接続具２４の底面をシール板４３に密着させる。次いで、その上から分岐栓用の締付環２５を被せ、締付環２５の挿通孔２５ａに分岐栓接続具２４を挿通させ、締付環２５の第３雌ねじ２５ｃを分岐栓１８の第３雄ねじ４１に螺合させる。そのとき、分岐栓接続具２４の底面と分岐栓１８のシール板４３とを圧着させる。
【００２０】
最後に、分岐栓接続具２４の第２雌ねじ３５を、アダプタ本体２２の縮径部２２ａの外周面に設けられている第２雄ねじ３２と螺合させることにより、アダプタ本体２２の縮径部２２ａの先端面が、分岐栓接続具２４の内底部に収められたシール板３６に押圧される。それにより、分岐栓１８が分岐栓アダプタ１０に連結される。
【００２１】
以上のように、分岐栓アダプタ１０は、アダプタ本体２２とシャワーヘッド用の締付リング２３とに分離して構成されている。それにより、分岐栓アダプタ１０をシャワーヘッド１１に取り付ける際、シールリング２９が設けられているアダプタ本体２２に対し、シャワーヘッド用の締付リング２３が相対回動して螺合され、アダプタ本体２２は実質上回動しない。そのため、シールリング２９は螺合による回転で捩れることがない。また、シールリング２９は支持筒１１ａの内周面に密着される。そのため、シャワーヘッド１１に取り付けられた分岐栓１８に原水を吐出させた場合、通水孔２６における水圧はアダプタ本体２２に受け止められ、シャワーヘッド用の締付リング２３に水圧が直接及ぶことはない。
【００２２】
本実施形態のシャワー水栓用の分岐栓アダプタ１０によれば、以下のような効果を得ることができる。
（１）本実施形態では分岐栓アダプタ１０を、アダプタ本体２２と、シャワーヘッド用の締付リング２３とに分離して構成し、アダプタ本体２２にシールリング２９を嵌着させた。そして、分岐栓アダプタ１０をシャワーヘッド１１に固定する際、アダプタ本体２２がシャワーヘッド１１の支持筒１１ａに対し回動することなく、締付リング２３のみが支持筒１１ａに対し相対回動することにより、アダプタ本体２２をシャワーヘッド１１の支持筒１１ａに取り付けることができる構成とした。従って、シールリング２９がシャワーヘッド１１の第１雄ねじ２１に対する締付リング２３の第１雌ねじ３３の螺合による回転で捩れることがなく、水漏れ防止効果を高めることができる。また、水圧上昇に伴い、支持筒１１ａが第１雄ねじ２１と第１雌ねじ３３の密着性を高める様に変形し、本体の脱落を防止する効果がある。
【００２３】
（２）本実施形態では、分岐栓アダプタ１０は、アダプタ本体２２のフランジ部３１がシャワーヘッド用の締付リング２３の底部３４に支持される構成とした。従って、かかる構成によれば、アダプタ本体を容易に且つ確実にシャワーヘッド１１に取り付けることができる。
【００２４】
（３）本実施形態では、アダプタ本体２２の底部には、分岐栓１８と結合するための螺合部としての第２雄ねじ３２が螺刻されている。従って、かかる構成によれば、アダプタ本体２２の第２雄ねじ３２に分岐栓１８等の他の水栓具を容易に脱着可能に取り付けることができる。
【００２５】
なお、上記実施形態は以下のように変更してもよい。
・上記実施形態では、支持筒１９ａの内周面と対向する位置に形成されたリング状収容溝３０にシールリング２９を嵌着させた。しかしながら、リング状収容溝３０は、フランジ部３１の支持筒１９ａの下端面と対向する位置に形成されていてもよい。
【００２６】
・上記実施形態では、アダプタ本体２２の第２雄ねじ３２と分岐栓接続具２４の第２雌ねじ３５と螺合させることにより、分岐栓１８本体を取り付けた。しかしながら、螺合により分岐栓１８を取り付ける構成でなくてもよく、凹部と凸部の係合等により分岐栓を取り付ける構成にしてもよい。
【００２７】
・上記実施形態では、アダプタ本体２２に分岐栓１８を連結させた。しかしながら、分岐栓アダプタ１０に連結させるものは、分岐栓１８である必要はなく、シャワーヘッド１１の吐出口１４と口径の異なるシャワーキャップ、浄水器一体型分岐栓等であってもよい。また、分岐栓アダプタ１０に何も連結させなくてもよい。
【００２８】
・上記実施形態では、アダプタ本体２２に対して締付リング２３の支持孔２３ａに下方から嵌挿させ、締付リング２３の底部３４とアダプタ本体２２のフランジ部３１と係合支持させることにより、アダプタ本体２２をシャワーヘッド１１の吐出口１４に固定した。しかしながら、螺合することによりアダプタ本体２２と締付リング２３とを支持する構成にしてもよい。即ち、最初にシャワーヘッド１１とアダプタ本体２２のネジ部が連続的に繋がる位置でアダプタ本体２２を支持筒１１ａの下端部に接触させる。次に、締付リング２３の螺合部をアダプタ本体２２の螺合部及び支持筒１１ａの第１雄ねじ２１に同時に螺合させることにより、シャワーヘッド１１の支持筒１１ａにアダプタ本体２２を固定するようにしてもよい。
【００２９】
・上記実施形態では、シャワーヘッド１１を備えたシャワー水栓１２に分岐栓アダプタ１０を取り付けた。しかしながら、分岐栓アダプタ１０を取り付ける対象は、シャワー水栓でなくてもよく、ストレート水栓等であってもよい。
【００３０】
次に、上記実施形態及び別例から把握できる技術的思想について、それらの効果とともに以下に追記する。
（イ）前記環状支持部の上端には、外方へ延びる鍔が突設されている水栓用アダプタ。従って、アダプタ本体を水栓本体から取り外す際、シールリングがアダプタ本体から外れることはない。
【００３１】
（ロ）前記リング状収容溝は、支持筒の下端面と対向する位置に形成され、そこにシールリングを嵌着した水栓用アダプタ。従って、通水時に水栓用アダプタからの水漏れを確実に防止することができる。
【００３２】
【発明の効果】
本発明によれば、水栓用アダプタの水漏れを確実に防止することができる。
【図面の簡単な説明】
【図１】シャワー水栓用の分岐栓アダプタの使用状態を示す平面図。
【図２】シャワー水栓用の分岐栓アダプタの断面図。
【図３】シャワー水栓用の分岐栓アダプタ及びそれに組み付けられる部品の斜視図。
【図４】従来のシャワー水栓用の分岐栓アダプタの断面図。
【符号の説明】
１０…シャワー水栓用の分岐栓アダプタ、１１ａ…支持筒、１４…シャワーヘッドの吐出口、１８…分岐栓、２１…第１雄ねじ、２２…アダプタ本体、２２ｂ…環状支持部、２３…シャワーヘッド用の締付リング、２３ａ…支持孔、２４…分岐栓接続具、２６…通水孔、２９…シールリング、３０…リング状収容溝、３１…フランジ部、３２…第２雄ねじ、３３…第１雌ねじ、３４…底部
【図１】
2004285640.tif 000003
【図２】
2004285640.tif 000004
【図３】
2004285640.tif 000005
【図４】
2004285640.tif 000006